(57)【要約】【課題】簡単にベッド上で皮膚の洗浄と同時に排水の離脱を行うことができ、また、排水の悪臭を防止することのできる洗浄装置を提供する。【解決手段】洗浄装置１００は、温湯が貯留された温湯槽１と、温湯に接触し直流電圧を印加することによって温オゾン水を生成する第一の触媒電極２と、第一の触媒電極２で生成された温オゾン水を皮膚Ｈに噴射させて洗浄後、洗浄後の排水を吸引する洗浄ヘッド３と、吸引した排水に接触し直流電圧を印加することによってオゾン水を生成して、排水を殺菌する第二の触媒電極７と、殺菌後の排水を貯留する排水槽９とを備える。【選択図】図１
2008113921.tif 000002
【特許請求の範囲】
【請求項１】
温湯が貯留された温湯槽と、
温湯に接触し直流電圧を印加することによって温オゾン水を生成する第一の触媒電極と、
前記第一の触媒電極で生成された温オゾン水を皮膚に噴射させて洗浄後、洗浄後の排水を吸引する洗浄ヘッドと、
吸引した排水に接触し直流電圧を印加することによってオゾン水を生成して、前記排水を殺菌する第二の触媒電極と、
殺菌後の排水を貯留する排水槽とを備えることを特徴とする洗浄装置。
【請求項２】
前記洗浄ヘッドは、皮膚に接触する吸水材を有し、前記吸水材に前記排水槽に繋がる吸引ポンプが連結されていることを特徴とする請求項１に記載の洗浄装置。
【請求項３】
前記吸水材に、吸水材を加振させる加振体が設けられていることを特徴とする請求項２に記載の洗浄装置。
【請求項４】
前記第一の触媒電極及び前記第二の触媒電極は、陽イオン交換膜の一方の面に陽極電極が設けられ、他方の面に陰極電極が設けられてなり、前記陽極電極と前記陰極電極との間に直流電圧を印加することを特徴とする請求項１〜３のいずれか一項に記載の洗浄装置。
【発明の詳細な説明】
【技術分野】
【０００１】
本発明は、温オゾン水によって洗浄することのできる洗浄装置に関する。
【背景技術】
【０００２】
最近、オゾン水の皮膚に対する殺菌と活性化に関する研究報告が数多く発表され、重度の火傷や褥瘡にオゾン水が効果的であることから、特に皮膚科領域の治療にオゾン水を使用することが求められるようになった。
このように現在、医療用及び産業用に普及しているオゾン水の製法は、大別して放電により生成したオゾンガスに溶解させるガス溶解法、電解により生成したオゾンガスを水に溶解させる電解ガス溶解法、電解面に原料水を直接接触させてオゾン水を生成させる直接電解法（例えば、特許文献１参照）の３方式が実用されている。
【特許文献１】特開平８−１３４６７８号公報
【発明の開示】
【発明が解決しようとする課題】
【０００３】
しかしながら、上述のような患者や寝たきりの高齢者は、通常ベッドに横たわっているので、通常の大型のオゾン水生成装置では、患者をベッドから排水できる処置台に移す必要があり、患者に苦痛を与え、同時に人出を要し煩雑であった。そこで、患者をベッドで寝た状態で、皮膚のオゾン水による治療、さらには汚れた下半身のオゾン水による洗浄が要望されていた。
既に過去に、温水を使用し、下半身を洗浄し、排水はその周辺から真空吸引する試みがなされた事例があるが、この方法では排泄物や汚物を含む排水と吸引排気が強烈な悪臭を発し、排水処理と悪臭処理に問題があり、さらに強力な吸引作用によって弱った皮膚に刺激を与え、疼痛を惹起したり、中には弱った皮膚が吸引により損傷を受けるなどの問題が発生し、普及に至らなかった。
【０００４】
本発明は、上記事情に鑑みてなされたもので、ベッド上で寝た状態で皮膚の洗浄と同時に排水の離脱を行うことができ、また、排水の悪臭を防止することのできる洗浄装置を提供することを目的としている。
【課題を解決するための手段】
【０００５】
そこで、発明者等は、洗浄にオゾン水を使用すれば、排水の脱臭と悪臭防止に役立つだけではなく、微温オゾン水は皮膚に優しく刺激を与えないことに着目し、さらにオゾン水生成には電解法によるオゾン水生成法が小型で、さらにガス溶解法よりもオゾン臭が格段に少ないことを知った。さらに、洗浄排水の離脱には、排水を直接吸引する方法ではなく、いったん周辺に配設した吸水能のあるスポンジ状の吸水材に吸水させた後、吸水材の他の面から吸引することにより皮膚患部に刺激を与えないで排水を離脱させる手段を講じたのである。
上記課題を解決するため、請求項１の発明は、例えば図１、図２に示すように、温湯が貯留された温湯槽１と、
温湯に接触し直流電圧を印加することによって温オゾン水を生成する第一の触媒電極２と、
前記第一の触媒電極で生成された温オゾン水を皮膚に噴射させて洗浄後、洗浄後の排水を吸引する洗浄ヘッド３と、
吸引した排水に接触し直流電圧を印加することによってオゾン水を生成して、前記排水を殺菌する第二の触媒電極７と、
殺菌後の排水を貯留する排水槽９とを備えることを特徴とする。
【０００６】
請求項１の発明によれば、温湯槽から流れ出た温湯が第一の触媒電極に接触し、かつ、第一の触媒電極に直流電圧を印加することによって温オゾン水が生成されて、温オゾン水が洗浄ヘッドを介して皮膚に噴射されて温オゾン水による洗浄がなされる。その後、洗浄後の排水が吸引されて、第二の触媒電極に接触するとともに直流電圧を印加することによってオゾン水が生成されて、排水が殺菌された後、排水槽に排水される。このようにして、容易に温オゾン水による洗浄と同時に排水の離脱も行うことができるので、ベッド上で寝た状態のまま簡単に温オゾン水による洗浄を行うことができる。また、排水の殺菌も行うことができるので、悪臭等の問題も防ぐことができる。
【０００７】
請求項２の発明は、例えば図１、図２に示すように、請求項１に記載の洗浄装置１００において、
前記洗浄ヘッドは、皮膚に接触する吸水材３２を有し、前記吸水材に前記排水槽に繋がる吸引ポンプ８が連結されていることを特徴とする。
【０００８】
請求項２の発明によれば、洗浄ヘッドは吸水材を有し、吸水材に吸引ポンプが連結されているので、吸引ポンプによって吸引することにより吸水材に吸水された排水を円滑に排水槽へと送り込むことができる。また、吸水材を皮膚に接触させて吸引するので、皮膚に優しく、刺激を与えずに排水することができる。さらには、寝た状態でも排水がこぼれることなく使用勝手が良い。
【０００９】
請求項３の発明は、例えば図１、図２に示すように、請求項２に記載の洗浄装置において、
前記吸水材に、吸水材を加振させる加振体３５が設けられていることを特徴とする。
【００１０】
請求項３の発明によれば、加振体によって吸水材が加振されるので、排水を吸水材によって円滑に吸引することができる。
【００１１】
請求項４の発明は、例えば図３に示すように、請求項１〜３のいずれか一項に記載の洗浄装置において、
前記第一の触媒電極及び前記第二の触媒電極は、陽イオン交換膜２１の一方の面に陽極電極２２が設けられ、他方の面に陰極電極２３が設けられてなり、前記陽極電極と前記陰極電極との間に直流電圧を印加することを特徴とする。
【００１２】
請求項４の発明によれば、第一の触媒電極及び第二の触媒電極は、陽イオン交換膜、陽極電極及び陰極電極を備えた構造であるので、単純な構造で容易に温オゾン水を生成してオゾン水で洗浄することができる。また、第二の触媒電極によって汚染された排水を新たなオゾン水で殺菌することができ、常に清浄なオゾン水で洗浄することができる。
【発明の効果】
【００１３】
本発明によれば、簡単に、温オゾン水による洗浄と同時に排水の離脱を行うことができるので、寝た状態での洗浄も可能となる。また、排水の殺菌も行うことができるので、悪臭等の問題を防ぐことができる。
【発明を実施するための最良の形態】
【００１４】
以下、本発明の実施の形態について図面を参照しながら説明する。
図１は、オゾン水洗浄装置１００の概略側面図、図２(a)は、洗浄ヘッド３の側断面図、(b)は、洗浄ヘッド３の要部側断面図である。
オゾン水洗浄装置１００は、温湯が貯留された温湯槽１と、温湯槽１から排出された温湯に接触し直流電圧を印加することによって温オゾン水を生成する第一の触媒電極２と、第一の触媒電極２で生成した温オゾン水を皮膚Ｈに接触させて洗浄した後、洗浄後の排水を吸引する洗浄ヘッド３と、吸引した排水に接触し直流電圧を印加することによってオゾン水を生成して、排水中の微生物等を殺菌する第二の触媒電極７と、殺菌後の排水を貯留する排水槽９とを備えている。
【００１５】
温湯槽１の下部には、排水槽９が設けられており、温湯槽１及び排水槽９が移動自在となるように排水槽９の底面にキャスター１０が設けられている。また、温湯槽１の上端部における外側面には取っ手１１が設けられている。
温湯槽１は、上面が開口しており、上面に開閉自在な蓋１２が設けられている。また、温湯槽１には、温湯を流入させる流入管（図示しない）が設けられ、温湯槽１の側面に洗浄ヘッド３に連結される供給管４が設けられている。供給管４の内部で温湯槽１側の端部には、第一の触媒電極２が設けられており、第一の触媒電極２に温湯槽１から排出された温湯が接触することで温オゾン水が生成されるようになっている。
また、温湯槽１内には供給管４に温湯を圧送する圧送ポンプ５が設けられている。圧送ポンプ５の先端位置に第一の触媒電極２が配置されている。
【００１６】
排水槽９は、温湯槽１の下部に一体に設けられており、洗浄ヘッド３に連結される吸水管６が設けられている。吸水管６の内部で排水槽９側の端部には、第二の触媒電極７が設けられており、第二の触媒電極７に洗浄後の排水が接触することでオゾン水が生成されて、生成されたオゾン水によって排水が殺菌されるようになっている。
また、排水槽９と吸水管６とは、吸引ポンプ８を介して連結されており、吸引ポンプ８によって排水が吸水管６内で吸引されて、第二の触媒電極７によって生成されたオゾン水で殺菌された後、排水槽９へと送られる。
【００１７】
図３(a)は、第一の触媒電極２の外観斜視図、(b)は、第一の触媒電極２の切断線III-IIIに沿って切断した際の矢視断面図である。
第一の触媒電極２は、円筒状の陰極電極２３の表面に陽イオン交換膜２１が巻き付けられて、陽イオン交換膜２１の表面にさらに円筒状の陽極電極２２が巻き付けられてなるものである。陽極電極２２と陰極電極２３との間には、電源装置（図示しない）のプラス端子２４１及びマイナス端子２４２が導線を介してそれぞれ電気的に接続されて、電源装置の駆動により所定の電圧が印加されるようになっている。
【００１８】
陽イオン交換膜２１としては、従来公知のものを使用することができ、発生するオゾンに耐久性の強いフッ素系陽イオン交換膜を使用することができ、例えば厚さ１００〜２５０ミクロンが好ましい。
【００１９】
陽極電極２２は、陽イオン交換膜２１を全面的に覆い隠すように密着されるものではなく、多数の通孔を設けて、陽イオン交換膜２１に接触部と非接触部とを有して重ねられている。すなわち、陽極電極２２は網状、グレーチング状又はパンチングメタル状とすることが好ましい。なお、図３では陽極電極２２が網状の場合を示している。具体的に、グレーチング状とは線材を溶接した格子状で、パンチングメタル状とは金属板に多数の通孔を形成した多孔板状である。また、グレーチング状の陽極電極を複数枚重ねても良い。
【００２０】
陽極電極２２としては、オゾン発生触媒機能を有した金属を使用し、この金属としては二酸化鉛が最も広く知られている。しかし、この二酸化鉛は加工が難しく、微小な通孔が不規則に存在するポーラス体を使用しているが、二酸化鉛のポーラス体は脆弱で耐久性に劣り、さらにはオゾン水中に鉛が溶出する可能性もあることから、純粋なオゾン水を得るため、白金又は白金被覆金属の電極を使用することが好ましく、特に、本発明ではチタンに白金を被覆した金属を使用することが好ましい。
そして、陽極電極２２は平面状の金属をグレーチング状に加工することが望ましい。また、被覆処理としては、例えばメッキや熱着等により行うことができる。
【００２１】
このようにグレーチング状の陽極電極２２とすることによって、陽極電極２２を構成する部材の交点部位が尖って外面に突出し、水流と接触して渦流を生じ、陽極電極２２で発生したオゾンの微泡を巻き込んで溶解を早めることができる。
【００２２】
一方、陰極電極２３は、銀又は薄い銀製金網、グレーチング等の表面に塩化銀被覆を施したものを使用することが好ましく、また、銀製金網の表面にさらにチタン製のグレーチング状の電極を重ねても良い。特に、陰極電極２３は陽極電極２２よりも目の粗さが粗くなるように形成されていることが好ましい。
【００２３】
そして、円筒状の第一の触媒電極２は軸方向を流路方向（供給管４の軸方向）に向けて配置されている（図１参照）。また、第一の触媒電極２の端部には圧送ポンプ５が配置され、温湯槽１から流れてきた温湯を第一の触媒電極２の陽極電極２３面に吹き付けて連続接触させるようになっている。
【００２４】
第二の触媒電極７は、図示しないが、第一の触媒電極２と同様に、円筒状の陰極電極の表面に陽イオン交換膜が巻き付けられて、陽イオン交換膜の表面にさらに円筒状の陽極電極が巻き付けられてなるものである。そして、陽極電極と陰極電極との間には、電源装置のプラス端子及びマイナス端子が導線を介してそれぞれ電気的に接続されて、電源装置の駆動により所定の電圧が印加されるようになっている。
陽イオン交換膜、陽極電極及び陰極電極の材料は上述した陽イオン交換膜２１、陽極電極２２及び陰極電極２３と同様のため、その説明を省略する。
【００２５】
そして、円筒状の第二の触媒電極７は軸方向を流路方向（吸水管６の軸方向）に向けて配置されている（図１参照）。また、第二の触媒電極７の端部には吸引ポンプ８が設けられており、後述の吸水材３２で吸水した排水を吸引して第二の触媒電極７の陽極電極面に連続接触させるようになっている。
【００２６】
なお、供給管４と吸引管６とはともに束ねられており、これによって洗浄装置１００の移動をスムーズに行うことができる。
【００２７】
洗浄ヘッド３は、図２に示すように、上面及び下面が上に凸となるようにドーム状に形成されて内部に空洞３１aを有する洗浄ヘッド本体３１と、洗浄ヘッド本体３１の下面３１bの中央部と所定間隔を隔てて略水平に設けられ、供給管４の先端部から供給される温オゾン水が噴射する噴射板３３と、洗浄ヘッド本体３１の下面開口３１cに嵌め込まれて洗浄後の排水を吸水する吸水材３２とを備えている。また、洗浄ヘッド本体３１には、吸水材３２で吸水した排水を吸引する吸引管６が空洞３１a内に連通するように取り付けられている。
供給管４は、洗浄ヘッド本体３１の空洞３１aを介して下面３１bを貫通し、下面３１bと噴射板３３との間に連通するように接続されている。そして、供給管４の先端部（洗浄ヘッド本体３１の下面３１bの貫通穴３１d）から温オゾン水が流れ出て、噴射板３３を介して皮膚Ｈに噴射される。
【００２８】
噴射板３３は、板状をなし、洗浄ヘッド本体３１の上に凸となる下面３１bを覆うように設けられており、上下に貫通する多数の噴射穴３３aが形成されている。
吸水材３２は、例えば、シリコンゴム等を材料とするスポンジ状であり、洗浄ヘッド本体３１の下面開口３１cにドーナツ状に嵌め込まれている。つまり、吸水材３２は、噴射板３３の外周縁を囲むように設けられている。そのため、噴射板３３の外側に温オゾン水が漏れないようになっており、これによって確実に洗浄でき、かつ、吸水材３２が皮膚Ｈに接触して排水を確実に吸水するようになっている。
【００２９】
また、洗浄ヘッド３の空洞３１a内には、吸水材３２に接触するように振動レバー３４が設けられている。振動レバー３４の一端部は空洞３１aを形成する内壁面に固定され、他端部が吸水材３２に接触するようになっている。また、振動レバー３４の、空洞３１aを形成する内壁面との固定部分には、振動レバー３４を介して吸水材３２に振動を与える加振体３５が設けられている。加振体３５としては、例えば不平衡振動モータ（あるいは不平衡振動子）、超音波振動子等が挙げられる。そして、加振体３５が振動することによって振動レバー３４が振動し、振動レバー３４で吸水材３２を押圧して、吸水材３２に吸水された排水を吸引ポンプ８に吸い込み易くしている。
【００３０】
次に、上述の構成からなる洗浄装置１００を用いて温オゾン水で皮膚Ｈを洗浄する洗浄方法について説明する。
まず、温湯槽１に流入管を用いて温湯を貯留しておき、圧送ポンプ５によって温湯槽１から温湯を第一の触媒電極２に接触させる。このとき、同時に陽極電極２２と陰極電極２３との間に直流電圧を印加することによって、陽極電極２２面からオゾン気泡が発生し、陰極電極２３面から水素気泡が発生する。発生したオゾン気泡は温湯に溶解して温オゾン水を生成する。そして生成された温オゾン水は、供給管４を介して排水ヘッド３へ流れ込み、排水ヘッド３の噴射板３３に形成された噴射穴３３aから皮膚Ｈに噴射される。そして、洗浄後の排水は、噴射板３３の外周に設けられた吸水材３２に吸水される。ここで、振動レバー３４の加振体３５によって吸水材３２が加振されることで、吸水管６に排水が円滑に吸引される。その後、排水は第二の触媒電極７に接触することで、陽極電極面でオゾン気泡が発生し、陰極電極面では水素気泡が発生し、オゾン気泡が排水に溶解することで、排水中の微生物等が清浄なオゾン水によって殺菌されて、清浄なオゾン水とされた状態で排水槽９に貯留される。
【００３１】
以上、本発明の実施の形態によれば、温湯槽１から流れ出た温湯が、第一の触媒電極２で温オゾン水とされ、温オゾン水が洗浄ヘッド３を介して皮膚Ｈに噴射されて温オゾン水による洗浄がなされる。その後、洗浄後の排水が吸引されて、第二の触媒電極７によって殺菌された後、排水槽９に排水される。このようにして、簡単に、温オゾン水による洗浄と同時に排水の離脱も行うことができるので、ベッド上で寝た状態のままでも洗浄することができる。また、排水の殺菌も行うことができるので、悪臭等の問題を防ぐことができる。
さらに、洗浄ヘッド３は吸水材３２を有し、吸水材３２に吸引ポンプ８が連結されているので、吸引ポンプ８によって吸引することにより吸水材３２に吸水された排水を円滑に排水槽９へと送り込むことができる。また、吸水材３２を皮膚Ｈに接触させて吸引するので、皮膚Ｈに優しく、刺激を与えずに排水することができる。
さらに、加振体３５によって振動レバー３４を介して吸水材３２が加振されるので、排水を吸水材３２によって円滑に吸引することができる。
第一の触媒電極２及び第二の触媒電極７は、陽イオン交換膜２１、陽極電極２２及び陰極電極２３を備えた構造であるので、単純な構造で容易に温オゾン水を生成してオゾン水で洗浄することができる。また、第二の触媒電極７によって汚染された排水を新たなオゾン水で殺菌することができ、常に清浄なオゾン水で洗浄することができる。
【００３２】
なお、本発明は、上記実施の形態に限定されるものではなく、その要旨を逸脱しない範囲で適宜変更可能である。
例えば、上記実施の形態では、第一の触媒電極２及び第二の触媒電極７は円筒状の触媒電極であるとしたが、この形状に限られるものではなく、例えば、図４に示すように、陽イオン交換膜１０２の一方の面に陽極電極１０３を密着させ、他方の面に陰極電極１０４を密着させてなるもので、それぞれ平板状に形成し、これらを密着させた後、絶縁性の接合部材により接合したものであっても構わない。
【００３３】
次に、本発明の洗浄装置１００による効果について、実施例を挙げて説明する。
［実施例］
上述の温湯槽に約３０℃の温湯を供給し、毎分１Ｌの３ppmの温オゾン水を発生させて、噴射板より肌に噴射した。周辺の吸水材は、シリコンゴム製の吸水スポンジを使用し、直径は約３５mmであった。吸引ポンプは小型タービン型を使用し、毎分１Ｌの排水を円滑に吸引し、肌に刺激を与えないで温オゾン水洗浄を行うことができた。
特にオゾン水含有の排水は、急速に悪臭成分であるメルカプタンを分解した結果、排水槽からの悪臭の排出は少なく、さらに排水も悪臭成分がオゾン分解されたことが認められた。
【図面の簡単な説明】
【００３４】
【図１】オゾン水洗浄装置１００の概略側面図である。
【図２】(a)は、洗浄ヘッド３の側断面図、(b)は、洗浄ヘッド３の要部側断面図である。
【図３】(a)は、第一の触媒電極２の外観斜視図、(b)は、第一の触媒電極２の切断線III-IIIに沿って切断した際の矢視断面図である。
【図４】第一の触媒電極１０１の変形例を示した側断面図である。
【符号の説明】
【００３５】
１  温湯槽
２  第一の触媒電極
３  洗浄ヘッド
７  第二の触媒電極
８  吸引ポンプ
９  排水槽
２１  陽イオン交換膜
２２  陽極電極
２３  陰極電極
３２  吸水材
３５  加振体
１００  洗浄装置
【図１】
2008113921.tif 000003
【図２】
2008113921.tif 000004
【図３】
2008113921.tif 000005
【図４】
2008113921.tif 000006